(57)【要約】      （修正有）【課題】前方をしっかりと照光しつつ、背面方向も照光できることで、使い勝手のよい照明器具を提供する。【解決手段】照明器具１０は、器具本体２０と、取付部材３０とを備えている。器具本体２０は、発光基板２１と、発光基板２１の前方に配置された第１の反射部２２と、発光素子２１ａからの光を背面方向へ反射する第２の反射部２３と、第１の反射部２２を囲う筐体部２４とを備えている。第２の反射部２３の反射面に、発光素子２１ａからの光または第１の反射部２２に反射した光が到達すると、光は、反射面に反射して背面方向へ向かうだけでなく、第１の反射部２２の突出部２２ｂや固定用部材３２の側面へも向かわせることができる。従って、照明器具１０は、背面方向と、影となった第１の反射部２２の突出部２２ｂや固定用部材３２の側面とを明るく照光できるので、照明器具１０の見かけの大きさを大きく見せることができる。【選択図】図１
0003186366.tif 000002
【実用新案登録請求の範囲】
【請求項１】
光源が配置された器具本体と、前記器具本体を設置場所から離間して設置するための取付部材とを備え、
前記器具本体は、
前記光源から前方へ向かうに従って開口が拡がる反射面が形成された第１の反射部と、
前記光源からの光を背面方向へ反射する第２の反射部と、
前記第１の反射部の外側を包囲し、前記第２の反射部からの光を透過する筐体部とを備えた照明器具。
【請求項２】
前記第２の反射部は、前記第１の反射部の外側に形成された反射面である請求項１記載の照明器具。
【請求項３】
前記第１の反射部と前記光源との間に、前記光源の側方へ向かう光を通過させ、前記筐体部を透過させるための隙間が形成されている請求項１または２記載の照明器具。
【請求項４】
前記筐体部に、前記光源からの光に着色するための色材が付与されている請求項１から３のいずれかの項に記載の照明器具。
【請求項５】
前記筐体部と他の照明器具の筐体部と連結する連結部材を備えた請求項１から４のいずれかの項に記載の照明器具。
【考案の詳細な説明】
【技術分野】
【０００１】
本考案は、天井や壁面に取付部材を介在させることで離間して設置される照明器具に関するものである。
【背景技術】
【０００２】
照明器具には、ペンダントライトやスタンド、ブラケットライトなど、様々な種類がある。天井に埋め込まれる照明器具は、ダウンライトと称される。ダウンライトは、照光される直下は明るいが、天井に埋め込まれているため、光が天井面の周囲に拡がらないため、照明器具の周囲の天井面は比較的暗い。
【０００３】
例えば、特許文献１に記載の照明器具は、シーリングライトではあるが、側方および背面方向にも光を放射させるというものである。
具体的には、特許文献１の照明器具は、半導体発光素子の前面および側面を覆うように透光カバーが、半導体発光素子が配設された器具本体に設けられていると共に、半導体発光素子から放射される光を、透光カバーの周縁部から器具本体の側方および背面方向に向けて放射させる光制御体が設けられている。
【０００４】
【特許文献１】特開２０１０−１４０７９７号公報
【考案の開示】
【考案が解決しようとする課題】
【０００５】
特許文献１に記載の照明器具は、背面方向に光を放射させるとあるが、半導体発光素子からの光が光制御体に反射しても、光は側方に拡がるだけで、器具本体の背面方向は、器具本体が邪魔して照光できない。しかし、特許文献１に記載の照明器具は、天井面に隙間なく配置されるシーリングライトであるため、照明器具の背面側が照光されなくても、問題はない。
【０００６】
この点について、天井面や壁面との間に、器具本体を設置する取付部材を介在させることで、天井面や壁面から離れた状態で設置される照明器具では、器具本体と天井面や壁面との間に空間ができる。そのため、天井面や壁面へ照光するには、側方というより斜め後方へ光を出射させる必要があるので、光源からの光が届き難い。特に、光源からの光を前方へ反射するための反射板を有する照明器具では、反射板や、反射板を囲う筐体部が、光源からの光を邪魔して、側方や背面方向へ照光することができない。
【０００７】
このような照明器具は、前方は光が照射されるため明るいが、照明器具の周囲や背面方向（後方）が暗くなるため、スポットライトとしての機能しか備えさせることができない。
【０００８】
そこで本考案は、前方をしっかりと照光しつつ、背面方向も照光できることで、使い勝手のよい照明器具を提供することを目的とする。
【課題を解決するための手段】
【０００９】
本考案の照明器具は、光源が配置された器具本体と、前記器具本体を設置場所から離間して設置するための取付部材とを備え、前記器具本体は、前記光源から前方へ向かうに従って開口が拡がる反射面が形成された第１の反射部と、前記光源からの光を背面方向へ反射する第２の反射部と、前記第１の反射部の外側を包囲し、前記第２の反射部からの光を透過する筐体部とを備えたことを特徴とする。
【００１０】
本考案の照明器具によれば、光源からの前方への光は、第１の反射部に反射せずに、または第１の反射部に反射して、前方へ向かう。また、第２の反射部に反射した光は、背面方向へ向かう。背面方向へ向かう光は、第１の反射部の外側を包囲した筐体部があるが、筐体部は、第２の反射部からの光を透過するため、筐体部を通過して背面方向へ進行させることができる。
【００１１】
前記第２の反射部が、前記第１の反射部の外側に形成された反射面であると、第１の反射部に反射せずに、外側に向かう光を反射して背面方向へ向かわせることができるので、第１の反射部に反射して前方へ向かう光や、まっすぐ、前方へ向かう光を、邪魔してしまうことを防止することができる。
【００１２】
前記第１の反射部と前記光源との間に、前記光源の側方へ向かう光を通過させ、前記筐体部を透過させるための隙間が形成されていると、光源の側方への光も、第１の反射部により邪魔されることなく、器具本体の筐体部から出射させることができるので、光の拡がる範囲を広いものとすることができる。
【００１３】
前記筐体部に、前記光源の光に彩色する色材が含有されていると、光源からの光に着色することができるので、様々な演出効果を醸成することができる。
【００１４】
前記筐体部と他の照明器具の筐体部と連結する連結部材を備えていれば、光量が不足するときに、連結部材により他の照明器具と連結して、照明器具を増加させることができる。
【考案の効果】
【００１５】
本考案によれば、筐体部を通過して背面方向へ進行させることができるので、前方をしっかりと照光しつつ、背面方向も照光できることで、使い勝手をよい照明器具とすることができる。
【図面の簡単な説明】
【００１６】
【図１】本考案の実施の形態に係る照明器具の断面図である。
【図２】図１に示す照明器具の平面図である。
【図３】図１に示す照明器具の底面図である。
【図４】図１に示す照明器具の側面図である。
【図５】図３に示す照明器具において前面カバーを外した状態の底面図である。
【図６】図３に示す照明器具の第２の反射部の斜視図である。
【図７】図１に示す照明器具の使用状態を説明するための断面図である。
【図８】図１に示す照明器具を連結する連結部材を説明するための図であり、（Ａ）は底面図、（Ｂ）は側面図である。
【考案を実施するための最良の形態】
【００１７】
本考案の実施の形態に係る照明器具を図面に基づいて説明する。なお、本明細書では、照明器具を天井面に設置したときに、光源の直下となる方向を前方、その反対を背面方向または後方と称する。
図１から図５に示すように照明器具１０は、室内であれば、天井面や壁面、スタンド脚に取り付けられたり、または、屋外であれば看板を下方側から照光するためのアーム部材に取り付けられたりするものである。照明器具１０は、器具本体２０と、取付部材３０と、放熱部材４０とを備えている。
【００１８】
図１に示すように、器具本体２０は、光源となる発光基板２１と、発光基板２１の前方に配置された第１の反射部２２と、発光素子２１ａからの光を背面方向へ反射する第２の反射部２３と、第１の反射部２２の外側を包囲する筐体部２４と、筐体部２４の前部を覆う前面カバー２５を備えている。
【００１９】
発光基板２１は、白色光を出射する４個の発光素子２１ａがプリント配線基板２１ｂに搭載されている。発光素子２１ａは、ＬＥＤ素子としたり他の素子としたりすることができる。また、発光素子２１ａは、白色とする以外に、暖色系であったり、様々な色温度を発光するものとすることができる。発光素子２１ａの個数は、図１では４個であるが、１個から３個としたり、５個以上としたりすることができる。更に、発光基板２１は、光源として機能するものであれば、基板にＬＥＤ素子を搭載したもの以外に、電球としたり、蛍光灯としたりすることができる。
【００２０】
第１の反射部２２は、出射側の開口側から見て矩形状に形成され、前方へ向かうに従って開口が拡がる漏斗状に形成された反射板である。第１の反射部２２は、金属製としたり、樹脂製としたりすることができる。本実施の形態では、第１の反射部２２は、発光素子２１ａを囲う、入射側の開口と出射側の開口との間の傾斜面に、段差部２２ａが形成されている。図３および図５に示すように、第１の反射部２２の出射側の開口は、筐体部２４の開口よりひと回り小さく形成されているため、第１の反射部２２には筐体部２４に固定するための突出部２２ｂが出射側の開口の両端部に形成されている。
図１に示すように、第１の反射部２２は、発光基板２１との間に隙間２２ｃが形成されている。
【００２１】
第２の反射部２３は、図６に示すように、下端部（前方側の一端部）が直線状に形成され、上端部（他端部）が円弧状に形成された反射面２３ａを有している。図５に示すように、第２の反射部２３は、矩形状に形成された筐体部２４のそれぞれの角部に対応して、第１の反射部２２の開口縁部の前方となる位置であって、第１の反射部２２の外側で、第１の反射部２２と筐体部２４との間の隙間２２ｄとなる位置に配置されている。
このような反射面２３ａに、発光素子２１ａからの光または第１の反射部２２に反射した光が到達すると、光は、反射面２３ａに反射して背面方向へ向かうだけでなく、第１の反射部２２の突出部２２ｂへも向かわせることができる。
【００２２】
図１および図２に示すように、筐体部２４には、発光基板２１と放熱部材４０とが基端部に搭載されている。また、図１および図４に示すように、筐体部２４は、先端部となる開口縁部に、水平に拡がった鍔部２４ａが形成されている。この鍔部２４ａに前面カバー２５がねじ止めにより固定される。筐体部２４は、光透過性を有する部材により形成されている。例えば、筐体部２４は、ポリカーボネートやアクリルなどの樹脂材により形成する以外に、ガラスなどでも形成することができる。
【００２３】
図１および図３に示すように、前面カバー２５は、第１の反射部２２および筐体部２４による開口を塞ぐ蓋である。前面カバー２５は、光透過性を有する部材により形成されている。例えば、前面カバー２５は、筐体部２４と同様に、ポリカーボネートやアクリル、ガラスなどで形成することができる。前面カバー２５には、発光素子２１ａからの光を拡散させるための蒲鉾状の凹凸部２５ａが、中央部を囲うように形成されている。前面カバー２５の周縁部２５ｂは、筐体部２４の鍔部２４ａと合わされ、ねじ止めするためのねじ穴が形成されている。
【００２４】
図１、図２および図４に示すように、取付部材３０は、天井面や壁面、スタンド脚、アーム部材に取り付けるための部材である。取付部材３０は、コ字状に形成されたフレーム部３１と、フレーム部３１と筐体部２４との間に介在させて、筐体部２４の長手方向の両端部に、フレーム部３１をねじ止めするための固定用部材３２と備えている。
放熱部材４０は、発光基板２１のプリント配線基板２１ｂの搭載面とは反対側の裏面側に、筐体部２４を介在させて装着された放熱フィンが配列されたヒートシンクである。
【００２５】
以上のように構成された本考案の実施の形態に係る照明器具１０の使用状態を図面に基づいて説明する。なお、本実施の形態では、照明器具１０は、天井面Ｃに、取付部材３０により設置されているものとする。
図７に示すように、発光基板２１に電源が供給されると、発光素子２１ａが点灯する。発光素子２１ａからの光は、第１の反射部２２に反射せずに、直接、照明器具１０の前方に向かう光（図示せず）と、第１の反射部２２に反射して、照明器具１０の前方に向かう光（光路Ｆ１にて示す）とにより、下方が明るく照らされる。
【００２６】
発光素子２１ａから第１の反射部２２の開口縁部に向かう光のうち、角部に向かう光は、第２の反射部２３に反射する。第２の反射部２３に反射した光は、背面方向（後方）や斜め後方へ向かって進行して、第１の反射部２２と筐体部２４との隙間２２ｄを通過する。第１の反射部２２の外側には、筐体部２４が第１の反射部２２を囲っている。しかし、筐体部２４は光透過性を有する部材により形成されているため、光の信号を阻害しない。筐体部２４を透過した光は、背面方向を照光して、取付部材３０によりできた天井面Ｃとの空間を進行して、天井面Ｃを明るく照らす（光路Ｆ２にて示す）。
【００２７】
このように、照明器具１０は、前方をしっかりと照光しつつ、背面方向も照光できるため、使い勝手のよい照明器具として、様々な場所に設置することができる。また、照明器具１０は、単に前方だけは明るいのではなく、天井面Ｃも明るくなることで、照明器具１０の見かけの大きさを、大きく見せることができる。
【００２８】
また、第２の反射部２３が、第１の反射部２２の外側に形成されているため、第１の反射部２２に反射せずに、外側に向かう光を反射して背面方向へ向かわせることができるので、第１の反射部２２に反射して前方へ向かう光や、まっすぐ、前方へ向かう光を、邪魔してしまうことを防止することができる。
【００２９】
また、第２の反射部２３を反射した光は、背面方向へ向かう光の他に、側方へも反射する。第２の反射部２３から側方へ反射した光は、第１の反射部２２の突出部２２ｂや、固定用部材３２の側面を明るく照らす。このことにより、発光素子２１ａから照光されず、反射面より暗く、影となった突出部２２ｂや固定用部材３２の側面を明るく照光することができるので、観察者が照明器具１０を見上げたときに、全体を明るくすることができる。
【００３０】
発光素子２１ａから側方へ出射した光は、第１の反射部２２は、発光基板２１との間に形成された隙間２２ｃから、筐体部２４を透過して、照明器具１０の側方へ進行する。このように、発光基板２１の側方への光も、第１の反射部２２により邪魔されることなく、器具本体２０の筐体部２４から出射させることができるので、光の拡がる範囲を広いものとすることができる。
【００３１】
筐体部２４を透明部材とすることで、内部が見える照明器具１０とすることができ、意匠性を向上させることができるが、筐体部２４に、光に着色するための色材を含有させたり、塗装したりすることで、白色光に着色することができる。従って、様々な演出効果を醸成することができる。
【００３２】
次に、照明器具１０を連結する連結部材について、図８（Ａ）および同図（Ｂ）に基づいて説明する。
連結部材５０は、それぞれの照明器具１０を連結するものである。
連結部材５０は、断面がエ字状に形成され、長手方向に沿った両側部の隙間５１に、筐体部２４の鍔部２４ａと、前面カバー２５の周縁部２５ｂとが挿入され、ねじ止めされる。
【００３３】
図８（Ａ）および同図（Ｂ）では、連結部材５０が、照明器具１０のそれぞれの短辺を連結しているが、それぞれの長辺を連結してもよい。また、連結部材５０が、照明器具１０のそれぞれの短辺を連結しながら、それぞれの長辺を連結することで、照明器具１０を縦列および横列に連結してマトリックス状に配置された大型の照明器具とすることも可能である
【００３４】
このような連結部材５０により照明器具１０を連結して、大型の照明器具とすることで、光量が不足するときに、必要な光量に応じて照明器具１０の連結台数を増加することができる。
【００３５】
以上、本実施の形態を説明したが、本考案は本実施の形態に限定されるものではない。本実施の形態では、照明器具１０が矩形状をしているが、円形状であってもよい。
【産業上の利用可能性】
【００３６】
本考案に係る照明器具は、天井や壁面に取付部材を介在させることで離間して設置される照明器具に好適である。
【符号の説明】
【００３７】
１０  照明器具
２０  器具本体
２１  発光基板
２１ａ  発光素子
２１ｂ  プリント配線基板
２２  第１の反射部
２２ａ  段差部
２２ｂ  突出部
２２ｃ，２２ｄ  隙間
２３  第２の反射部
２３ａ  反射面
２４  筐体部
２４ａ  鍔部
２５  前面カバー
２５ａ  凹凸部
２５ｂ  周縁部
３０  取付部材
３１  フレーム部
３２  固定用部材
４０  放熱部材
５０  連結部材
Ｃ  天井面
Ｆ１，Ｆ２  光路
【図１】
0003186366.tif 000003
【図２】
0003186366.tif 000004
【図３】
0003186366.tif 000005
【図４】
0003186366.tif 000006
【図５】
0003186366.tif 000007
【図６】
0003186366.tif 000008
【図８】
0003186366.tif 000009
【図７】
0003186366.tif 000010